(57)【要約】      （修正有）【課題】人々の日常の要求を満たすために、オレンジジュース生搾り、注入、瓶詰め及びマスコミを一体にする自動販売機を提供する。【解決手段】オレンジジュース生搾り、注入、瓶詰め及びマスコミを一体にする自動販売機は、箱体１、開閉ドア２、調節可能支持ベース３、回転バスケット、輸送案内装置、搾り機、電動制御弁、注入容器、残渣案内装置、残渣回収桶、高圧ガスポンプ、ガスタンク、瓶、瓶収容容器、瓶輸送機構、瓶案内装置、瓶詰め輸送ライン、回転デリバリー装置、スプレー水ポンプ、スプレー制御電磁弁、完成品通路、スプレー貯水箱、廃液回収水箱、冷却保温システム、調整電源、システム制御装置、ＬＥＤランプ及び紫外線殺菌ランプを備える。【選択図】図１
0003214412.tif 000002
【実用新案登録請求の範囲】
【請求項１】
箱体（１）、開閉ドア（２）、調節可能支持ベース（３）、回転バスケット（４）、輸送案内装置（５）、搾り機（６）、電動制御弁（７）、注入容器（８）、残渣案内装置（９）、残渣回収桶（１０）、高圧ガスポンプ（１１）、ガスタンク（１２）、瓶（１３）、瓶収容容器（１４）、瓶輸送機構（１５）、瓶案内装置（１６）、瓶詰め輸送ライン（１７）、回転デリバリー装置（１８）、スプレー水ポンプ（１９）、スプレー制御電磁弁（２０）、完成品通路（２１）、スプレー貯水箱（２２）、廃液回収水箱（２３）、冷却保温システム（２４）、調整電源（２５）、システム制御装置（２６）、ＬＥＤランプ（２７）及び紫外線殺菌ランプ（２８）を備える、オレンジジュース生搾り、注入、瓶詰め及びマスコミを一体にする自動販売機であって、前記調節可能支持ベース（３）は、箱体（１）の底部に取り付けられ、前記回転バスケット（４）は、搾り機（６）の頂部に設けられ、且つ、スライドレール（４０１）により箱体（１）に接続されており、前記輸送案内装置（５）は、一端が回転バスケット（４）の出口に接続され、他端が搾り機（６）の供給口に接続されており、前記搾り機（６）は、搾り機固定底板（１０１）に設けられ、且つ、前記搾り機（６）の内部にスプレー洗浄管路（６０１）が取り付けられており、前記電動制御弁（７）は、搾り機（６）のオレンジジュース出口の下方に設けられると共に、搾り機（６）のオレンジジュース出口の下方と接続されており、前記注入容器（８）は、電動制御弁（７）の出口の下方に設けられると共に、電動制御弁（７）の出口の下方と接続されており、前記注入容器（８）の出口は、注入輸送管路（８０１）を介して瓶注入位置（１７０３）に接続されており、前記残渣案内装置（９）は、搾り機（６）の残渣出口の下方に設けられると共に、箱体（１）に固定されており、前記残渣回収桶（１０）は、箱体底板（１０５）の左上隅の上方に設けられ、残渣案内装置（９）の下方に位置しており、前記高圧ガスポンプ（１１）とガスタンク（１２）は、高圧ガスポンプ及びガスタンク固定底板（１０７）に設けられ、且つ、ガスタンク（１２）上のガス出口は、空気管を介して電動制御弁（７）のガス入口に接続されており、前記瓶収容容器（１４）は、瓶輸送機構（１５）の上方に設けられており、前記瓶輸送機構（１５）は、瓶輸送機構固定底板（１０６）に設けられており、前記瓶案内装置（１６）が瓶輸送機構（１５）と組み合わせて使用されており、前記瓶詰め輸送ライン（１７）は、瓶詰め輸送ライン固定底板（１０２）に設けられており、前記回転デリバリー装置（１８）は、瓶詰め輸送ライン（１７）に位置しており、前記スプレー貯水箱（２２）は、箱体底板（１０５）の上方に設けられており、前記スプレー水ポンプ（１９）は、スプレー貯水箱（２２）の上方で瓶詰め輸送ライン固定底板（１０２）の下方に設けられており、前記ＬＥＤランプ（２７）は、回転バスケット（４）の底部の凹溝（４０４）に設けられており、前記紫外線殺菌ランプ（２８）は、回転バスケット（４）の底部に設けられていることを特徴とする、オレンジジュース生搾り、注入、瓶詰め及びマスコミを一体にする自動販売機。
【請求項２】
前記箱体（１）は、薄内壁（１０１０）と薄外壁（１０１１）からなり、且つ、薄内壁（１０１０）と薄外壁（１０１１）との間に内部キャビティ（１０１３）が形成され、前記内部キャビティ（１０１３）の内部に発泡保温材料（１０１４）が充填されており、前記箱体（１）の内部には搾り機固定底板（１０１）、瓶詰め輸送ライン固定底板（１０２）、システム制御装置固定底板（１０３）、冷却保温システム密閉隔離カバー（１０４）、箱体底板（１０５）、瓶輸送機構固定底板（１０６）、高圧ガスポンプ及びガスタンク固定底板（１０７）が設けられ、前記箱体（１）の裏板（１０１２）には高圧ガスポンプ放熱孔（１０８）及び冷却保温システム放熱孔（１０９）が開設されていることを特徴とする請求項１に記載のオレンジジュース生搾り、注入、瓶詰め及びマスコミを一体にする自動販売機。
【請求項３】
前記開閉ドア（２）は、箱体（１）の正前方に取り付けられ、且つ、箱体（１）に固定される回転軸ピン（２０７）を介して外方へ開放することができ、前記開閉ドア（２）は、ピックアップ口（２０１）、カード挿入領域（２０２）、誘導領域（２０３）、キーボード操作領域（２０４）、マンマシンインタラクションタッチスクリーン（２０５）及び透明ＴＶテレビ（２０６）からなることを特徴とする請求項１に記載のオレンジジュース生搾り、注入、瓶詰め及びマスコミを一体にする自動販売機。
【請求項４】
前記透明ＴＶテレビ（２０６）は、開閉ドア（２）に嵌め込まれていることを特徴とする請求項３に記載のオレンジジュース生搾り、注入、瓶詰め及びマスコミを一体にする自動販売機。
【請求項５】
前記完成品通路（２１）は、駆動モータ（２１０２）、回転バネ（２１０３）、通路フレーム（２１０４）からなり、前記完成品通路（２１）は、瓶詰め輸送ライン（１７）の上方で回転バスケット（４）の下方及び搾り機（６）の右側に設けられ、且つ、スライドレール（２１０１）により箱体（１）に接続されており、前記完成品通路（２１）は、自由に引き出したり押し込んだりすることができ、完成品貨物を詰め込むことには便利であることを特徴とする請求項１に記載のオレンジジュース生搾り、注入、瓶詰め及びマスコミを一体にする自動販売機。
【請求項６】
前記冷却保温システム（２４）は、冷却保温システムの密閉隔離カバー（１０４）内に設けられ、且つ、冷却保温システム（２４）の凝縮器管路（２４０１）は、箱体（１）の薄内壁（１０１０）と薄外壁（１０１１）との間に形成された内部キャビティ（１０１３）内に設けられ、薄内壁（１０１０）の一側に近接されていることを特徴とする請求項１に記載のオレンジジュース生搾り、注入、瓶詰め及びマスコミを一体にする自動販売機。
【請求項７】
前記ＬＥＤランプ（２７）は、照明作用を発揮することを特徴とする請求項１に記載のオレンジジュース生搾り、注入、瓶詰め及びマスコミを一体にする自動販売機。
【考案の詳細な説明】
【技術分野】
【０００１】
本考案は、自動販売機に関し、特に、オレンジジュース生搾り、注入、瓶詰め及びマスコミを一体にする自動販売機に関する。
【背景技術】
【０００２】
柑橘類を原料として搾り機の生搾りにより得られたオレンジジュース飲み物は、味が甘酸っぱく、栄養上の価値が高く、消費者に広く好まれている。
【０００３】
飲み物及び食品の自動販売機を代表としての自動販売可能な商品は、市場で益々多く、人々の日常生活に多くの便利性をもたらしている。それに応じて、地下鉄駅、デパート、空港、事務室、駅などの場所に配置されている自動販売機、例えば、中国特許文献ＣＮ１１９４７０６Ａに開示された「販売機」、中国特許文献ＣＮ１２３６９３６Ａに開示された「自動販売機」、中国特許文献ＣＮ１７０７５２９Ａに開示された「自動販売機」、中国特許文献ＣＮ１６２４７２４Ａに開示された「飲み物自動販売機」、中国特許文献ＣＮ１８８５３５８Ａに開示された「自動販売機」などの様々な販売機により販売されているものは、全て既に高度加工されて包装された缶詰め、瓶詰め又は軟包装を含めた完成品飲み物であり、人々のオレンジジュース生搾り飲み物に対する実際の要求を満たすことができない。
【０００４】
現在までに市場においてオレンジジュース生搾り、注入、瓶詰め及びマスコミを一体にすることを実現可能な自動販売機がなく、本自動販売機の考案は、この市場上の欠陥を完璧に補償し、人々の実際な要求を根本的に解決し、本自動販売機は、本分野における重大な革新に属する。
【考案の概要】
【考案が解決しようとする課題】
【０００５】
本考案の目的は、人々の日常の要求を満たすために、オレンジジュース生搾り、注入、瓶詰め及びマスコミを一体にする自動販売機を提供することである。
【課題を解決するための手段】
【０００６】
本考案がその技術課題を解決するために採用した手段は以下の通りである。
【０００７】
箱体、開閉ドア、調節可能支持ベース、回転バスケット、輸送案内装置、搾り機、電動制御弁、注入容器、残渣案内装置、残渣回収桶、高圧ガスポンプ、ガスタンク、瓶、瓶収容容器、瓶輸送機構、瓶案内装置、瓶詰め輸送ライン、回転デリバリー装置、スプレー水ポンプ、スプレー制御電磁弁、完成品通路、スプレー貯水箱、廃液回収水箱、冷却保温システム、調整電源、システム制御装置、ＬＥＤランプ及び紫外線殺菌ランプを備えることを特徴とするオレンジジュース生搾り、注入、瓶詰め及びマスコミを一体にする自動販売機。
【０００８】
前記箱体は、薄内壁と薄外壁からなり、且つ、薄内壁と薄外壁との間に内部キャビティが形成され、前記内部キャビティの内部に発泡保温材料が充填されており、前記箱体の内部には搾り機固定底板、瓶詰め輸送ライン固定底板、システム制御装置固定底板、冷却保温システム密閉隔離カバー、箱体底板、瓶輸送機構固定底板、高圧ガスポンプ及びガスタンク固定底板が設けられ、前記箱体の裏板に高圧ガスポンプ放熱孔及び冷却保温システム放熱孔が開設されている。
【０００９】
前記開閉ドアは、箱体の正前方に取り付けられ、且つ、箱体に固定される回転軸ピンを介して外方へ開放することができ、前記開閉ドアは、ピックアップ口、カード挿入領域、誘導領域、キーボード操作領域、マンマシンインタラクションタッチスクリーン及び透明ＴＶテレビからなり、前記マンマシンインタラクションタッチスクリーンは、消費者が具体的に操作する領域であり、消費者は、マンマシンインタラクションタッチスクリーンに提示された関連内容に基づいて操作して関連製品を購入することができ、マンマシンインタラクションタッチスクリーンは、更にデータリアルタイム表示の機能を有し、前記透明ＴＶテレビは媒体広告再生機能を有し、且つ、消費者又は観衆は、再生している媒体広告を見ながら、自動販売機内部の新鮮オレンジの生搾り、注入、瓶詰めから最後のデリバリーまでの一連のプロセスフローを一覧することができる。
【００１０】
前記調節可能支持ベースは、箱体の底部に取り付けられ、且つ、移動可能な滑車が付く。
【００１１】
前記回転バスケットは、搾り機の頂部に設けられ、且つ、スライドレールにより箱体に接続されており、前記回転バスケットは、自由に引き出したり押し込んだりすることができ、新鮮オレンジを詰め込むことには便利である。
【００１２】
前記輸送案内装置は、一端が回転バスケットの出口に接続され、他端が搾り機の供給口に接続されている。
【００１３】
前記搾り機は、搾り機固定底板に設けられ、且つ、前記搾り機の内部にスプレー洗浄管路が取り付けられている。前記搾り機の動作中に生じたオレンジ皮及び残渣は、残渣案内装置を介して残渣回収桶に落下する。
【００１４】
前記電動制御弁は、搾り機のオレンジジュース出口の下方に設けられると共に、搾り機のオレンジジュース出口の下方と接続されており、前記電動制御弁は、搾り機の搾り中に開放状態であり、空気注入中に閉状態である。
【００１５】
前記注入容器は、電動制御弁の出口の下方に設けられると共に、電動制御弁の出口の下方と接続されており、前記注入容器の出口は、注入輸送管路を介して瓶注入位置に接続されている。
【００１６】
前記残渣案内装置は、搾り機の残渣出口の下方に設けられ、箱体に固定されている。
【００１７】
前記残渣回収桶は、箱体底板の左上隅の上方に設けられ、残渣案内装置の下方に位置している。
【００１８】
前記高圧ガスポンプ、ガスタンクは、高圧ガスポンプ及びガスタンク固定底板に設けられ、且つ、ガスタンクにおけるガス出口は、空気管を介して電動制御弁のガス入口に接続されている。
【００１９】
前記瓶は、瓶収容容器内に置かれている。
【００２０】
前記瓶収容容器は、瓶輸送機構の上方に設けられている。
【００２１】
前記瓶輸送機構は、瓶輸送機構固定底板に設けられている。
【００２２】
前記瓶案内装置が瓶輸送機構と組み合わせて使用されることで、瓶が瓶輸送機構を介して瓶案内装置に落下すると共に瓶入口位置に自由落下するように確保する。
【００２３】
前記瓶詰め輸送ラインは、瓶詰め輸送ライン固定底板に設けられ、注入、瓶蓋供給、瓶蓋締め及びデリバリーの一連の作業過程を実行する。
【００２４】
前記回転デリバリー装置は、瓶詰め輸送ラインに位置している。
【００２５】
前記スプレー貯水箱は、箱体底板の上方に設けられている。
【００２６】
前記スプレー水ポンプは、スプレー貯水箱の上方且つ瓶詰め輸送ライン固定底板の下方に設けられ、且つ、スプレー水ポンプの出口の前方にスプレー制御電磁弁が取り付けられ、前記スプレー制御電磁弁は、加圧作用を発揮する。
【００２７】
前記完成品通路は、駆動モータ、回転バネ、通路フレームからなり、前記完成品通路は、瓶詰め輸送ラインの上方で回転バスケットの下方及び搾り機の右側に設けられ、且つ、スライドレールにより箱体に接続されており、前記完成品通路は、自由に引き出したり押し込んだりすることができ、完成品の貨物を詰め込むことには便利である。前記完成品通路内に置かれるものは、包装済みの缶詰め、瓶詰め又は軟包装を含めた完成品である。
【００２８】
前記廃液回収水箱は、箱体底板の上方に設けられ、搾り機からスプレーして洗浄した残渣液体を回収することに用いられる。
【００２９】
前記冷却保温システムは、冷却保温システムの密閉隔離カバー内に設けられ、且つ、冷却保温システムの凝縮器管路は、箱体の薄内壁と薄外壁との間に形成された内部キャビティ内に設けられ、薄内壁の一側に近接されている。
【００３０】
前記ＬＥＤランプは、回転バスケットの底部の凹溝に設けられ、箱体内の輝度を補強することに用いられる。
【００３１】
前記紫外線殺菌ランプは、回転バスケットの底部に設けられ、自動販売機の箱体内の細菌を殺滅することに用いられる。
【００３２】
前記システム制御装置は、システム制御装置固定底板に設けられ、自動販売機の各制御部材に接続されて自動販売機を自動制御する。
【００３３】
前記調整電源は、冷却保温システム密閉隔離カバーの上方に設けられ、外部電源に接続されてシステム制御装置に安定的な電源を供給することにより、自動販売機のシステム全体の安定性及び安全性を確保する。
【考案の効果】
【００３４】
従来技術に比べ、本考案の有益な効果は、オレンジジュース生搾り、注入、装瓶及びマスコミを一体にする自動販売機を提供し、該自動販売機の考案は、市場上の欠陥を完璧に補い、人々の実際の要求を根本的に解決し、該自動販売機は、本分野で重大な革新に属する。
【図面の簡単な説明】
【００３５】
【図１】本考案の正面図である。
【図２】本考案の内部構造レイアウトの模式図である。
【図３】本考案の箱体の構造の模式図である。
【図４】本考案の箱体構成の一部断面模式図。
【図５】本考案の箱体保温及び内蔵された凝縮器管路の断面模式図である。
【図６】本考案の瓶詰め輸送ラインの前方構造の模式図である。
【図７】本考案の瓶詰め輸送ラインの後方構造の模式図である。
【図８】本考案の完成品通路の正面図である。
【考案を実施するための形態】
【００３６】
以下、図面と実施例を結び付けて本考案を更に説明する。
【００３７】
オレンジジュース生搾り、注入、瓶詰め及びマスコミを一体にする自動販売機は、箱体１、開閉ドア２、調節可能支持ベース３、回転バスケット４、輸送案内装置５、搾り機６、電動制御弁７、注入容器８、残渣案内装置９、残渣回収桶１０、高圧ガスポンプ１１、ガスタンク１２、瓶１３、瓶収容容器１４、瓶輸送機構１５、瓶案内装置１６、瓶詰め輸送ライン１７、回転デリバリー装置１８、スプレー水ポンプ１９、スプレー制御電磁弁２０、完成品通路２１、スプレー貯水箱２２、廃液回収水箱２３、冷却保温システム２４、調整電源２５、システム制御装置２６、ＬＥＤランプ２７及び紫外線殺菌ランプ２８を備える。
【００３８】
前記箱体１は、薄内壁１０１０と、薄外壁１０１１からなり、且つ、薄内壁１０１０と薄外壁１０１１との間に内部キャビティ１０１３が形成され、前記内部キャビティ１０１３の内部に発泡保温材料１０１４が充填されており、前記箱体１の内部には搾り機固定底板１０１、瓶詰め輸送ライン固定底板１０２、システム制御装置固定底板１０３、冷却保温システム密閉隔離カバー１０４、箱体底板１０５、瓶輸送機構固定底板１０６、高圧ガスポンプ及びガスタンク固定底板１０７が設けられ、前記箱体１の裏板１０１２には高圧ガスポンプ放熱孔１０８及び冷却保温システム放熱孔１０９が開設されている。
【００３９】
前記開閉ドア２は、箱体１の正前方に取り付けられ、且つ、箱体１に固定される回転軸ピン２０７を介して外方へ開放することができ、前記開閉ドア２は、ピックアップ口２０１、カード挿入領域２０２、誘導領域２０３、キーボード操作領域２０４、マンマシンインタラクションタッチスクリーン２０５及び透明ＴＶテレビ２０６からなり、前記マンマシンインタラクションタッチスクリーン２０５は、消費者が具体的に操作する領域であり、消費者は、マンマシンインタラクションタッチスクリーン２０５に提示された関連内容に基づいて操作して関連製品を購入することができ、マンマシンインタラクションタッチスクリーン２０５は、更にデータリアルタイム表示の機能を有し、前記透明ＴＶテレビ２０６は媒体広告再生機能を有し、且つ、消費者又は観衆は、再生している媒体広告を見ながら、自動販売機内部の新鮮オレンジ４０５の生搾り、注入、瓶詰めから最後のデリバリーまでの一連のプロセスフローを一覧することができる。
【００４０】
前記調節可能支持ベース３は、箱体１の底部に取り付けられ、且つ、移動可能な滑車が付く。
【００４１】
前記回転バスケット４は、搾り機６の頂部に設けられ、且つ、スライドレール４０１により箱体１に接続されており、前記回転バスケット４は、自由に引き出したり押し込んだりすることができ、新鮮オレンジ４０５を詰め込むことには便利である。
【００４２】
前記輸送案内装置５は、一端が回転バスケット４の出口に接続され、他端が搾り機６の供給口に接続されている。
【００４３】
前記搾り機６は、搾り機固定底板１０１に設けられ、且つ、前記搾り機６の内部にスプレー洗浄管路６０１が取り付けられている。前記搾り機６の動作中に生じたオレンジ皮及び残渣９０１は、残渣案内装置９を介して残渣回収桶１０に落下する。
【００４４】
前記電動制御弁７は、搾り機６のオレンジジュース出口の下方に設けられると共に、搾り機６のオレンジジュース出口の下方と接続されており、前記電動制御弁７は、搾り機６の搾り中に開放状態であり、空気注入中に閉状態である。
【００４５】
前記注入容器８は、電動制御弁７の出口の下方に設けられると共に、電動制御弁７の出口の下方に接続されており、前記注入容器８の出口は、注入輸送管路８０１を介して瓶注入位置１７０３に接続されている。
【００４６】
前記残渣案内装置９は、搾り機６の残渣出口の下方に設けられ、箱体１に固定されている。
【００４７】
前記残渣回収桶１０は、箱体底板１０５の左上隅の上方に設けられ、残渣案内装置９の下方に位置している。
【００４８】
前記高圧ガスポンプ１１、ガスタンク１２は、高圧ガスポンプ及びガスタンク固定底板１０７に設けられ、且つ、ガスタンク１２におけるガス出口は、空気管を介して電動制御弁７のガス入口に接続されている。
【００４９】
前記瓶１３は、瓶収容容器１４内に置かれている。
【００５０】
前記瓶収容容器１４は、瓶輸送機構１５の上方に設けられている。
【００５１】
前記瓶輸送機構１５は、瓶輸送機構固定底板１０６に設けられている。
【００５２】
前記瓶案内装置１６が瓶輸送機構１５と組み合わせて使用されており、瓶１３が瓶輸送機構１５を介して瓶案内装置１６に落下すると共に瓶入口位置１７０１に自由落下するように確保する。
【００５３】
前記瓶詰め輸送ライン１７は、瓶詰め輸送ライン固定底板１０２に設けられ、注入、瓶蓋供給、瓶蓋締め及びデリバリーの一連の作業過程を実行する。
【００５４】
前記回転デリバリー装置１８は、瓶詰め輸送ライン１７に位置している。
【００５５】
前記スプレー貯水箱２２は、箱体底板１０５の上方に設けられている。
【００５６】
前記スプレー水ポンプ１９は、スプレー貯水箱２２の上方且つ瓶詰め輸送ライン固定底板１０２の下方に設けられ、且つ、スプレー水ポンプ１９の出口の前方にスプレー制御電磁弁２０が取り付けられ、前記スプレー制御電磁弁２０は、加圧作用を発揮する。
【００５７】
前記完成品通路２１は、駆動モータ２１０２、回転バネ２１０３、通路フレーム２１０４からなり、前記完成品通路は、瓶詰め輸送ライン１７の上方で回転バスケット４の下方及び搾り機６の右側に設けられ、且つ、スライドレール２１０１により箱体１に接続されており、前記完成品通路２１は、自由に引き出したり押し込んだりすることができ、完成品２１０５の貨物を詰め込むことには便利である。前記完成品通路２１内に置かれるものは、包装済みの缶詰め、瓶詰め又は軟包装を含めた完成品２１０５である。
【００５８】
前記廃液回収水箱２３は、箱体底板１０５の上方に設けられ、搾り機６からスプレーして洗浄した残渣液体を回収することに用いられる。
【００５９】
前記冷却保温システム２４は、冷却保温システムの密閉隔離カバー１０４内に設けられ、且つ、冷却保温システム２４の凝縮器管路２４０１は、箱体１の薄内壁１０１０と薄外壁１０１１との間に形成された内部キャビティ１０１３内に設けられ、薄内壁１０１０の一側に近接されている。
【００６０】
前記ＬＥＤランプ２７は、回転バスケット４の底部の凹溝４０４に設けられ、箱体１の内部の輝度を補強することに用いられる。
【００６１】
前記紫外線殺菌ランプ２８は、回転バスケット４の底部に設けられ、自動販売機の箱体１内の細菌を殺滅することに用いられる。
【００６２】
前記システム制御装置２６は、システム制御装置の固定底板１０３に設けられ、自動販売機の各制御部材に接続されて自動販売機を自動制御する。
【００６３】
前記調整電源２５は、冷却保温システム密閉隔離カバー１０４の上方に設けられ、外部電源に接続されてシステム制御装置２６に安定的な電源を供給することにより、自動販売機のシステム全体の安定性及び安全性を確保する。
【実施例】
【００６４】
実施例１：消費者が生搾りオレンジジュース飲み物を購入する。
【００６５】
１、前記冷却保温システム２４は、自動販売機の起動状態で、常に動作状態にあり、箱体内を一定温度に維持し、且つ、箱体１の内部温度は調節可能である。
【００６６】
２、前記紫外線殺菌ランプ２８は、システム制御装置２６の制御により、２４時間に間欠的に動作する。
【００６７】
３、前記透明ＴＶテレビ２０６は、一日中に媒体広告を繰り返して再生する。
【００６８】
４、消費者は、マンマシンインタラクションタッチスクリーン２０５をクリックして関連製品を選択して購入し、関連製品が決めた後、支払方式を選択し、支払方式は、カード挿入領域２０２、誘導領域２０３及びキーボード操作領域２０４により実現することができ、支払に成功した後、システムは、マンマシンインタラクションタッチスクリーン２０５により表示し、消費者にオレンジジュース生搾りの進行中で待機する必要があることを提示し、待機中に、消費者は、透明ＴＶテレビ２０６を介して媒体広告を見ることができ、この透明ＴＶテレビ２０６は透明機能を有するため、消費者は媒体広告を見ながら、自動販売機内部の新鮮オレンジ４０５の生搾り、注入、瓶詰めから最後デリバリーまでの一連のプロセスフローを一覧することができる。
【００６９】
５、オレンジジュース生搾りプロセスフロー：前記回転バスケット４内の回転盤４０３は、駆動モータ４０２の駆動により、新鮮オレンジ４０５が回転バスケット４の出口から一つずつ輸送案内装置５に落下するように新鮮オレンジ４０５を動かして、新鮮オレンジ４０５は、輸送案内装置５を介して搾り機６の内部に入り、搾り中に、生じたオレンジ皮及び残渣９０１は、残渣案内装置９を介して残渣回収桶１０内に落下したが、生搾りオレンジジュースは、注入容器８に流入し、前記電動制御弁７は、自動的に閉状態になるように回転して注入を待機する。それと同時に、前記瓶１３は、瓶輸送機構１５により瓶案内装置１６まで輸送されて瓶入口位置１７０１に自由落下し、前記瓶１３は、瓶入口位置１７０１で瓶横方向移動輸送機構１７０２により瓶注入位置１７０３まで輸送されて注入を待機する。前記高圧ガスポンプ１１は、ガスタンク１２内の気体を注入容器８内に迅速に注入し、前記高圧ガスポンプ１１により発生した高圧气体は、注入容器８内の生搾りオレンジジュースを、注入輸送管路８０１を介して瓶注入位置１７０３にて注入を待機する瓶１３内に迅速に注入し、注入が完了した後、前記瓶１３は、瓶注入位置１７０３で瓶横方向移動輸送機構１７０２により瓶蓋取付位置１７０４まで輸送され、蓋が供給されてから瓶蓋締め位置１７０５まで輸送されて蓋締められ、前記瓶横方向移動輸送機構１７０２は、蓋締めた瓶１３を回転デリバリー装置１８内に輸送する。前記回転デリバリー装置１８は完成品をデリバリー口まで回転させ輸送して、完成品がピックアップ口２０１内に自動的に落下する。自動販売機は、消費者に貨物をピックアップするように提示する。
【００７０】
６、前記生搾りオレンジジュースの購入が終了する。
【００７１】
実施例２：消費者は完成品飲み物を購入する。
【００７２】
１、消費者は、マンマシンインタラクションタッチスクリーン２０５をクリックして関連製品を選択して購入し、関連製品が決めた後、支払方式を選択し、支払方式は、カード挿入領域２０２、誘導領域２０３及びキーボード操作領域２０４により実現することができ、支払に成功した後、システムは、マンマシンインタラクションタッチスクリーン２０５により表示し、消費者にオレンジジュース生搾りが進行中で待機する必要があることを提示し、待機中に、消費者は、透明ＴＶテレビ２０６を介して媒体広告を見ることができ、この透明ＴＶテレビ２０６は透明機能を有するため、消費者は媒体広告を見ながら、自動販売機内部の動作状態を一覧することができる。
【００７３】
２、プロセスフロー：前記完成品通路２１内の対応する回転バネ２１０３は、駆動モータ２１０２の作用により回転し始め、完成品２１０５が前方へ進むように動作し、前記完成品２１０５が回転バネ２１０３の回転作用により前方へ進んでピックアップ口２０１内に落下し、自動販売機は、消費者に貨物をピックアップするように提示する。
【００７４】
３、前記完成品の購入が終了する。
以上、具体的な実施例を参照しながら本考案の技術原理を説明した。これらの説明は、本考案の原理を説明するためのものに過ぎず、任意の形で本考案の保護範囲に対する制限として解釈してはいけない。ここでの説明に基づき、当業者が進歩性の労働をすることなく本考案の他の具体的な実施形態を想到することができ、これらの形態は全て本考案の保護範囲内にある。
【符号の説明】
【００７５】
１：箱体、１０１：搾り機固定底板、１０２：瓶詰め輸送ライン固定底板、１０３：システム制御装置固定底板、１０４：冷却保温システム密閉隔離カバー、１０５：箱体底板、１０６：瓶輸送機構固定底板、１０７：高圧ガスポンプ及びガスタンク固定底板、１０８：高圧ガスポンプ放熱孔、１０９：冷却保温システム放熱孔、１０１０：薄内壁、１０１１：薄外壁、１０１２：箱体裏板、１０１３：内部キャビティ、１０１４：発泡保温材料、２：開閉ドア、２０１：ピックアップ口、２０２：カード挿入領域、２０３：誘導領域、２０４：キーボード操作領域、２０５：マンマシンインタラクションタッチスクリーン、２０６：透明ＴＶテレビ、２０７：回転軸ピン、３：調節可能支持ベース、４：回転バスケット、４０１：スライドレール、４０２：駆動モータ、４０３：回転盤、４０４：凹溝、４０５：新鮮オレンジ、５：輸送案内装置、６：搾り機、６０１：スプレー洗浄管路、７：電動制御弁、８：注入容器、８０１：注入輸送管路、９：残渣案内装置、９０１：オレンジ皮及び残渣、１０：残渣回収桶、１１：高圧ガスポンプ、１２：ガスタンク、１３：瓶、１４：瓶収容容器、１５：瓶輸送機構、１６：瓶案内装置、１７：瓶詰め輸送ライン、１７０１：瓶入口位置、１７０２：瓶横方向移動輸送機構、１７０３：瓶注入位置、１７０４：瓶蓋取付位置、１７０５：瓶蓋締め位置、１８：回転デリバリー装置、１９：スプレー水ポンプ、２０：スプレー制御電磁弁、２１：完成品通路、２１０１：スライドレール、２１０２：駆動モータ、２１０３：回転バネ、２１０４：通路フレーム、２１０５：完成品、２２：スプレー水箱、２３：廃液回収水箱、２４：冷却保温システム、２４０１：凝縮器管路、２５：調整電源、２６：システム制御装置、２７：ＬＥＤランプ、２８：紫外線殺菌ランプ。
【図１】
0003214412.tif 000003
【図２】
0003214412.tif 000004
【図３】
0003214412.tif 000005
【図４】
0003214412.tif 000006
【図５】
0003214412.tif 000007
【図６】
0003214412.tif 000008
【図７】
0003214412.tif 000009
【図８】
0003214412.tif 000010